(57)【特許請求の範囲】
【請求項１】
外箱から内部機構が引き出し可能な内部機構引き出し型計器において、
前記外箱の後端からの所定位置に前記内部機構の引き出し方向に直交して設けられた板状の中継板取付け金具と、
前記中継板取付け金具に平行して設けられた中継基板と、
前記中継板取付け金具に一端が固定された固定スタッドと
この固定スタッドの他端側に取付けられた前記中継基板の取付け孔と前記固定スタッドとの間に設けられた第１の隙間と
前記中継基板を前記固定スタッドにねじ止めするねじと前記中継基板との間に設けられた第２の隙間とを有し
前記中継基板を前記中継板取付け金具に平行して平行方向に所定距離移動可能に支持するフローティング支持手段と、
前記内部機構の後端に設けられたマザーボードと、
このマザーボードと前記中継基板とに設けられ前記マザーボードと前記中継基板との位置を合わせる位置合わせ手段と、
前記中継基板と前記マザーボードとに設けられコネクタ接続される雌コネクタと雄コネクタと、
を具備したことを特徴とする内部機構引き出し型計器。
【請求項２】
前記内部機構の底部に設けられたボトムシャーシと、
前記ボトムシャーシの前部に設けられたハンドルと、
このハンドルの一端に一端が接続されたエジェクトレバーと、
このエジェクトレバーが内部機構の引き出し方向に移動可能に支持される支持手段と、
前記エジェクトレバーの他端に一端が軸支され他端が前記ボトムシャーシの一方の側面にロックされる第１のロックレバーと、
前記エジェクトレバーの他端に一端が軸支され他端が前記ボトムシャーシの他方の側面にロックされる第２のロックレバーと、
前記第１のロックレバーの途中であって前記一端からの距離よりも前記他端からの距離が短い位置に設けられ前記第１のロックレバーを前記ボトムシャーシに軸支する第１の支点軸と、
前記第２のロックレバーの途中であって前記一端からの距離よりも前記他端からの距離が短い位置に設けられ前記第２のロックレバーを前記ボトムシャーシに軸支する第２の支点軸と、
前記第１のロックレバーと前記第２のロックレバーの前記一端と前記支点軸との途中に少なくとも１個設けられ内部機構の引き出し方向に引っ張る弾性手段と、
前記第１，第２ロックレバーより所定位置離れて前記外箱に設けられ第１，第２ロックレバーの所定回動を係止する係止手段と、
前記ボトムシャーシと前記ハンドルあるいはエジェクトレバーとを固定する固定ねじと  を有するエジェクト・ロック手段
を具備したことを特徴とする請求項１に記載の内部機構引き出し型計器。
【請求項３】
前記支持手段は、前記エジェクトレバーに設けられたスライド穴と、
このスライド穴に挿入されたガイドローラと、
このガイドローラを前記ボトムシャーシに係止するねじと、
を具備したことを特徴とする請求項２に記載の内部機構引き出し型計器。
【請求項４】
前記弾性手段は、前記ロックレバーに一端が接続され他端が前記ボトムシャーシに接続されたコイルスプリング
を具備したことを特徴とする請求項２に記載の内部機構引き出し型計器。
【請求項５】
前記係止手段は、前記中継板取付け金具が使用されたこと
を特徴とする請求２に記載の内部機構引き出し型計器。
【発明の詳細な説明】
【技術分野】
【０００１】
本発明は、外箱から内部機構が引き出し可能な内部機構引き出し型計器に関するものである。
更に詳述すれば、背面パネルへの電源、通信および入力の配線を外すことなく、内部機構の取出しが可能な内部機構引き出し型計器に関するものである。
【背景技術】
【０００２】
内部機構引き出し型計器に関連する先行技術文献としては次のようなものがある。
【０００３】
【特許文献１】特開平８−０７５５０４号公報
【０００４】
図１４は従来より一般に使用されている従来例の要部構成説明図、図１５は図１４の動作説明図である。
図１４従来例は、記録手段を有する内部機構１、それには制御基板１ａ、電源ユニット１ｂが具備され、引き出し可能な構造を有して外箱２に収納される。
外箱２は背面に入力端子板２ａ及び電源入力部２ｂを具備する。
【０００５】
駆動電力の供給や入力信号を内部機構側に送信するため入力端子板２ａと制御基板１ａ間に入力配線束３、電源入力部２ｂと電源ユニット１ｂ間に電源配線束５が接続され内部機構側は脱着可能なコネクタ接続となっている。
それらは図１５のように、内部機構１を外箱２から引出して容易に外すことが可能な長さで、かつ収納時に邪魔にならないよう折り畳み補助板４に沿うよう並列に固定され、数回折り畳まれている。
【発明の開示】
【発明が解決しようとする課題】
【０００６】
このような装置においては、以下の間題点がある。
発電所の監視室に設置される計器は操作盤から高所に設置される場合が多く、内部機構１を引き出して各配線束３，５を外すのは困難であり、内部機構を操作盤の上に落下させる危険性がある。
【０００７】
内部機構１を外箱２から取り出して各配線束３，５を手で外すことが可能な長さの配線束を収納するには内部機構１と背面との間にスペースが必要であり製品の奥行きをコンパクトにできない。
【０００８】
また、リプレース品など、奥行きを短くしてしまうと背面の入力配線が届かない場合、奥行きを延長して対応する。よって、配線束を延長しなければならず、内部機構１を収納する際に邪魔になる。
【０００９】
各配線束３，５は高耐圧を要すため線が太く、折り畳んでいる屈曲部で断線する可能性が高い。
入力配線束３は長くて線数が多い、また、折り畳み補助板４の重さが付加され、振動で接続根元にストレスがかかり断線する恐れがある。
【００１０】
本発明の目的は、上記の課題を解決するもので、
内部機構を外箱から容易に脱着できる構造を実現する。
奥行きのコンパクト化を図る。
配線接続部にストレスのかからない構造を実現し信頼性を確保する。
上記のような内部機構引き出し型計器を提供することにある。
【課題を解決するための手段】
【００１１】
このような課題を達成するために、本発明では、請求項１の内部機構引き出し型計器においては、
外箱から内部機構が引き出し可能な内部機構引き出し型計器において、
前記外箱の後端からの所定位置に前記内部機構の引き出し方向に直交して設けられた板状の中継板取付け金具と、前記中継板取付け金具に平行して設けられた中継基板と、前記中継板取付け金具に一端が固定された固定スタッドとこの固定スタッドの他端側に取付けられた前記中継基板の取付け孔と前記固定スタッドとの間に設けられた第１の隙間と前記中継基板を前記固定スタッドにねじ止めするねじと前記中継基板との間に設けられた第２の隙間とを有し前記中継基板を前記中継板取付け金具に平行して平行方向に所定距離移動可能に支持するフローティング支持手段と、前記内部機構の後端に設けられたマザーボードと、このマザーボードと前記中継基板とに設けられ前記マザーボードと前記中継基板との位置を合わせる位置合わせ手段と、前記中継基板と前記マザーボードとに設けられコネクタ接続される雌コネクタと雄コネクタと、を具備したことを特徴とする。
【００１４】
本発明の請求項２の内部機構引き出し型計器においては、請求項１に記載の内部機構引き出し型計器において、
前記内部機構の底部に設けられたボトムシャーシと、前記ボトムシャーシの前部に設けられたハンドルと、このハンドルの一端に一端が接続されたエジェクトレバーと、このエジェクトレバーが内部機構の引き出し方向に移動可能に支持される支持手段と、前記エジェクトレバーの他端に一端が軸支され他端が前記ボトムシャーシの一方の側面にロックされる第１のロックレバーと、前記エジェクトレバーの他端に一端が軸支され他端が前記ボトムシャーシの他方の側面にロックされる第２のロックレバーと、前記第１のロックレバーの途中であって前記一端からの距離よりも前記他端からの距離が短い位置に設けられ前記第１のロックレバーを前記ボトムシャーシに軸支する第１の支点軸と、前記第２のロックレバーの途中であって前記一端からの距離よりも前記他端からの距離が短い位置に設けられ前記第２のロックレバーを前記ボトムシャーシに軸支する第２の支点軸と、前記第１のロックレバーと前記第２のロックレバーの前記一端と前記支点軸との途中に少なくとも１個設けられ内部機構の引き出し方向に引っ張る弾性手段と、前記第１，第２ロックレバーより所定位置離れて前記外箱に設けられ第１，第２ロックレバーの所定回動を係止する係止手段と、前記ボトムシャーシと前記ハンドルあるいはエジェクトレバーとを固定する固定ねじとを有するエジェクト・ロック手段を具備したことを特徴とする。
【００１５】
本発明の請求項２の内部機構引き出し型計器においては、請求項１に記載の内部機構引き出し型計器において、
前記支持手段は、前記エジェクトレバーに設けられたスライド穴と、このスライド穴に挿入されたガイドローラと、このガイドローラを前記ボトムシャーシに係止するねじと、を具備したことを特徴とする。
【００１６】
本発明の請求項４の内部機構引き出し型計器においては、請求項１に記載の内部機構引き出し型計器において、
前記弾性手段は、前記ロックレバーに一端が接続され他端が前記ボトムシャーシに接続されたコイルスプリングを具備したことを特徴とする。
【００１７】
本発明の請求項５の内部機構引き出し型計器においては、請求項１に記載の内部機構引き出し型計器において、
前記係止手段は、前記中継板取付け金具が使用されたことを特徴とする。
【発明の効果】
【００１８】
本発明の請求項１によれば、次のような効果がある。
背面パネルへの電源、通信および入力の配線を外すことなく、内部機構の取出しが可能な計器の接続構造を、コネクタ接続のフローティングコンタクト方式とした。
【００１９】
したがって。
内部機構を外箱から容易に脱着できる内部機構引き出し型計器が得られる。
奥行きをコンパクト化できる。また、奥行きを長くすることにも容易に対応でき同様の操作性。信頼性を保つことが可能な内部機構引き出し型計器が得られる。
個々のコネクタ間の累積公差が相殺され、雄雌コネクタの接続時はコネクタのハンダ付け部にストレスが掛からない内部機構引き出し型計器が得られる。
配線接続部にストレスがかからず断線することがない内部機構引き出し型計器が得られる。
【００２０】
フローティング支持手段は、中継板取付け金具に一端が固定された固定スタッドと、この固定スタッドの他端側に取付けられた中継基板の取付け孔と固定スタッドとの第１の隙間と、中継基板を固定スタッドにねじ止めするねじと中継基板との第２の隙間とが設けられたので、構成が簡単となり安価な内部機構引き出し型計器が得られる。
【００２２】
本発明の請求項２によれば、次のような効果がある。
テコの原理を利用して、引き出し荷重の大幅な低減を図り、容易に内部機構を引き出せる内部機構引き出し型計器が得られる。
【００２３】
荷重の軽減により引き出しハンドルをコンパクトにでき、ペンや記録紙交換の妨げにならない箇所に配置できる内部機構引き出し型計器が得られる。
シッピングロックねじの使用を少なくでき、振動や梱包落下などでコンタクトが外れない構造を実現できる内部機構引き出し型計器が得られる。
また、内部機構をニュートラルまで挿入してシッピングネジを締付けるとその推力でロックレバーのフックがロック穴にかかり、てこの原理で軽荷重で内部構造を外箱に接続可能な位置までコンタクトできる内部機構引き出し型計器が得られる。
【００２４】
本発明の請求項３によれば、次のような効果がある。
支持手段は、エジェクトレバーに設けられたスライド穴と、スライド穴に挿入されたガイドローラと、ガイドローラをボトムシャーシに係止するねじとが設けられたので、簡潔な構成で、確実に、エジェクト・ロック手段が得られる内部機構引き出し型計器が得られる。
【００２５】
本発明の請求項４によれば、次のような効果がある。
弾性手段は、ロックレバーに一端が接続され、他端がボトムシャーシに接続されたコイルスプリングが使用されたので、コイルスプリングは市場性があり容易に入手でき、安価な内部機構引き出し型計器が得られる。このスプリングは内部機構挿入時にロックレバーのフックがケースに干渉するので外側に飛び出さないようにするためのもので、ロックレバーをエジェクト状態に強制しているものである。
【００２６】
本発明の請求項５によれば、次のような効果がある。
係止手段は、中継板取付け金具が使用されたので、内部機構の構造部品をそのまま利用でき、安価な内部機構引き出し型計器が得られる。
【発明を実施するための最良の形態】
【００２７】
以下本発明を図面を用いて詳細に説明する。
図１は本発明の一実施例の要部構成説明図、図２は図１の内部機構の背面斜視説明図、図３は図１の内部機構を外箱に収納した図、図４は図１の入力中継基板の組立説明図、図５は図４の要部構成説明図、図６は図５の動作説明図、図７は図１の内部機構と外箱図とのコネクタ接続説明図、図８は多入力点数機種（大型機種）の説明図である。
図において、図１４と同一記号の構成は同一機能を表す。
以下、図１４との相違部分のみ説明する。
【００２８】
図１の内部機構１１は記録手段を有する機構部と電源ユニット、ＣＰＵボード、Ａ-Ｄ変換ボード、入力信号を切り替えるスキャナボードを図２（内部機構１の背面図）に示す如く、のマザーボード１１ｄに集結し一体構成とする。
また、引き出し可能な構造を有して外箱１２に収納される。
収納された状態を図３に示す。
【００２９】
図２に示す如く、マザーボード１１ｄには着脱可能な電源コネクタ１１ａ、入力コネクタ１１ｂ、オプションコネクタ１１ｃがマウントされ、個々のコネクタ付近にコネクタ嵌合の位置決め用に位置決めガイド１１９が固定される。
外箱１２の背面に入力端子基板１３、電源入力部１４、入力端子部１５、警報出力や通信入出力なのオプション仕様に付加されるオプション端子部１１１が固定される。入力端子部１５とオプション端子部１１１は入力端子基板１３にコネクタ接続される。
【００３０】
また、外箱１２の内部に中継板取付け金具１１０が固定される。中継板取付け金具１１０には電源中継基板１８、入力中継基板１９、オプション中継基板１１２が取付けられる。
電源入力部１４と電源中継基板１８間には電源配線束１６が接続される。
そして、電源中継基板１８に着脱可能な電源コネクタ１８ａがマウントされ、図３のように内部機構１１を外箱１２に収納したときに電源コネクタ１１ａと接続し外部電力を内部機構１１に供給する。
【００３１】
入力端子基板１３と入力中継基板１９間には入力配線束１７が接続される。
そして、入力中継基板１９に着脱可能な入力コネクタ１９ａがマウントされ、図５のように内部機構１１を外箱１２に収納したときに入力コネクタ１１ｂと接続し入力端子部１５に入力される信号を内部機構１１に送る。
入力端子基板１３とオプション中継基板１１３間にはオプション配線束１１２が接続される。
【００３２】
そして、オプション中継基板１１３に着脱可能なオプションコネクタ１１３ａがマウントされ、図３のように内部機構１１を外箱１２に収納したときにオプションコネクタ１１ｃと接続しオプション端子部１１１に入力される信号、または内部機構１１から出力される信号を中継する。
【００３３】
以上の構成において、内部機構１１と電源中継基板１８、入力中継基板１９、オプション中継基板１１３がストレスなく容易に接続される構成と動作を説明する。
図４は入力中継基板１９の組立て構成である。入力中継基板１９には内部機構１１が外箱１２に収納された際に入力コネクタ１１ｂと入力コネクタ１９ａが干渉無く接続されるように入力コネクタ１１ｂ付近に固定される位置決めガイド１１９と位置合わせができるよう位置決めピン１１５が固定される。
この場合は、位置決めピン１１５と位置決めガイド１１９とにより位置あわせ手段１０が構成されている。
【００３４】
そして、中継板取付け金具１１０には入力中継基板１９を取り付ける固定スタッド１１４と倒れ防止のスペーサー１１８がそれぞれ対角に固定される。
入力中継基板１９は対角に形成される孔１１７を固定スタッド１１４に形成されるボス１１４ａに通し、ネジ１１６により取り付けられる。
【００３５】
図５の断面図のようにボス１１４ａと孔１１７は入力中継基板１９が図６のように上下左右に可動するよう隙間Ａと隙間Ｂが設けられている。
この場合は、ボス１１４ａ、孔１１７、入力中継基板１９、隙間Ａと隙間Ｂとによりフローティング手段２０が構成されている。
【００３６】
他の電源中継基板１８及びオプション中継基板１１３の取り付けも同様で、マザーボード１１ｄに固定される各コネクタ間のばらつきや内部機構１１と外箱１２の収納位置のばらつきを吸収できるよう独立して可動する（フローティングコンタクト方式）。
図７に内部機構１１が外箱１２に収納されコネクタが接続されるまでの動作を（ａ）〜（ｃ）に示す。
【００３７】
図７（ａ）のようにマザーボード１１ｄに固定される位置決めガイド１１９に形成される面取り１１９ａに位置決めピン１１５に形成されるテーパ１１５ａが案内され入力中継基板１９が矢印方向に可動する。
図７（ｂ）で位置決めガイド１１９に位置決めピン１１５が挿入しマザーボード１１ｄにマウントされる入力コネクタ１１ｂと入力中継基板１９にマウントされる入力コネクタ１９ａの位置が決まり図７（ｃ）のように接続が完了する。（フローティングコンタクト方式）
【００３８】
この結果、
背面パネルへの電源、通信および入力の配線を外すことなく、内部機構１１の取出しが可能な計器の接続構造を、コネクタ接続のフローティングコンタクト方式とした。
したがって。
内部機構１１を外箱１２から容易に脱着できる内部機構引き出し型計器が得られる。
【００３９】
奥行きをコンパクト化できる。また、奥行きを長くすることにも容易に対応でき同様の操作性。信頼性を保つことが可能な内部機構引き出し型計器が得られる。
個々のコネクタ間の累積公差が相殺され、雄雌コネクタの接続時はコネクタのハンダ付け部にストレスが掛からない内部機構引き出し型計器が得られる。
配線接続部にストレスがかからず断線することがない内部機構引き出し型計器が得られる。
【００４０】
即ち、
従来の配線方式では、配線束を収納するには、内部機構と背面との間にスペースが必要だが、本発明では、コネクタの高さの低い部品を採用でき、中継基板と入力端子基板間のケーブル長も必要最小限にできるので、奥行きのコンパクト化が計れる内部機構引き出し型計器が得られる。
【００４１】
リプレース品等として使用する場合に、奥行きを短くしてしまうと、背面の入力配線が届かない場合が生ずる、この場合は、奥行きを延長して対応できる。そのような場合でも中継基板と入力端子基板間の部品を延長することで、同様の信頼性と操作性が獲得できる内部機構引き出し型計器が得られる。
【００４２】
なお、図８のように、入力点数が多い機種（大型機種）においても同様の信頼性と操作性を提供することができる。
【００４３】
フローティング支持手段は、中継板取付け金具１１０に一端が固定された固定スタッド１１４と、この固定スタッド１１４の他端側に取付けられた中継基板１９の取付け孔１１７と固定スタッド１１４との第１の隙間Ａと、中継基板１９を固定スタッド１１４にねじ止めするねじ１１６と中継基板１９との第２の隙間Ｂとが設けられたので、構成が簡単となり安価な内部機構引き出し型計器が得られる。
【００４４】
位置合わせ手段は、マザーボード１１ｄと中継基板１９とに設けられ位置決めピン１１５と、位置決めピン１１５の先端側が挿入されるソケット状の位置決めガイド１１９とが設けられたので、構成が簡単となり安価な内部機構引き出し型計器が得られる。
【００４５】
図９は本発明の他の実施例の要部構成説明図、図１０は図９の内部機構を引き出した状態図、図１１は図９のボトムシャーシを内部機構から外し外箱に収納した状態図、図１２は図９のシッピングネジを外した状態図、図１３は図９のハンドルを引張った状態図である。
【００４６】
図８のようにフローティングコンタクト方式は、入力点数が多い機種（大型機種）においても同様の信頼性と操作性を提供することが可能であるが、質量が大きくコネクタ芯数も多いため抜去力が大きくなる。
よって、内部機構を引き出すには強固で大きなハンドルを内部機構前面に具備しなければならず、ペンや記録紙交換の妨げになる。
【００４７】
本製品は発電所で使用されるため通電状態での耐震要求が厳しい。振動によりコンタクトが外れ内部機構引き出し型計器がシャットダウンすることは許されず、シッピングロックねじを多数使用しなければならない。
【００４８】
監視室に設置される計器は操作盤から高所に設置される場合が多く、内部機構を引き出す際にネジを多数外すのは困難でネジを操作盤上に落下させる可能性が高い。
例えば、コネクタ１個の抜去力２Ｋｇｆであって、２４チャンネルのフルオプションでは、２ＫｇｆＸコネクタ５個＝１０ｋｇｆにもなる。
【００４９】
図９の内部機構２１は記録手段を有する機構部と電源ユニット、ＣＰＵボード、Ａ-Ｄ変換ボード、入力信号を切り替えるスキャナボードを背面のマザーボーに集結し一体構成とする。
また、引き出し可能な構造を有して外箱２２に収納される。内部機構２１を外箱２２より引き出すにはシッピングねじ２４を外し、ハンドル２３をつかみ矢印方向に引いて引き出す。
【００５０】
シッピングネジ２４は落下防止の機能を有しハンドル２３に組み付けられる。
引き出した状態を図１０に示す。
図１０のように外箱２２の内部に中継基盤取付け金具２９が組み付けられる。
中継基盤取付け金具２９には電源中継基板２１０、入力中継基板２６、オプション中継基板２７がフローティングコンタクト構造を有し取付けられる。
【００５１】
内部機構２１の底部にボトムシャーシ２５が組み付けられる。
図１１にボトムシャーシ２５を内部機構２１から外し外箱２２に収納した状態を示す。  外箱２２底部の左右にロック金具２８が固定され、ロック穴２８ａが形成されている。
ボトムシャーシ２５上にはエジェクトレバー２１１とロックレバー２１２が図のように配置される。
【００５２】
エジェクトレバー２１１にはハンドル２３が固定される。
そして、引き出し方向に可動するためスライド穴２１１ａが形成され、ガイドローラ２１４にてボトムシャーシ２５に摺動可能な隙間を有して組み付けられる。
この場合は、スライド穴２１１ａと、スライド穴２１１ａに挿入されたガイドローラ２１４と、ガイドローラ２１４をボトムシャーシ２５に係止するねじとにより支持手段３０が構成されている。
【００５３】
エジェクトレバー２１１後方に形成されるガイド穴２１１ｂ（左右２箇所）に左右ロックレバー２１２に固定されるガイドローラ２１５が挿入され、ロックレバー２１２と連結する。
【００５４】
ロックレバー２１２は回転運動の支点にガイド穴２１１ｂが形成され、ガイドローラ２１４にてボトムシャーシ２５に摺動可能な隙間を有して組み付けられる。
ロックレバー２１２（左）とボトムシャーシ２５にはスプリング２１３が組み付けられてエジェクトレバー２１１とハンドル２３を矢印方向に可動するよう機能する。
この場合は、スプリング２１３が弾性手段４０を構成する。
【００５５】
動作を図１１、１２、１３で示す。
図１１のように内部機構２１収納時は左右ロック穴２８ａに左右ロックレバー２１２に形成されるフック２１２ａが引っ掛かり内部機構２１を外箱２２から引き出されないようロックされる。
図１２のようにシッピングネジ２４を外すとスプリング２１３の機能によりロックレバー２１２がガイド穴２１１ｂを支点として回転する。
【００５６】
そして、エジェクトレバー２１１のガイド穴２１１ｂに連結されたガイドローラ２１５によりエジェクトレバー２１１とハンドル２３が前方に移動する。
ロックレバー２１２のエジェクト端面２１２ｃが中継基盤取付け金具２９の固定面２９ａに接触して移動は停止する。この状態をニュートラルとする。
この場合は、固定面２９ａが係止手段５０を構成する。
【００５７】
さらにハンドル２３を掴み矢印方向に引くと図１３のようにエジェクトレバー２１１のガイド穴２１１ｂに連結されたガイドローラ２１５により連動してロックレバー２１２が回転する。
そして、エジェクト端面２１２ｃが中継基盤取付け金具２９の固定面２９ａを押すため内部機構２１を外箱２２より引き出される。
【００５８】
挿入時は逆の順序となり、ニュートラルからはシッピングねじ２４を締め付ける推力でロックする。
本機構はエジェクト機構とロック機構を兼ね備えている。
エジェクトレバー２１１の並進運動をロックレバー２１２で回転運動に変換してテコとして機能させている。
【００５９】
支点をガイド穴２１２ｂ、作用点をフック２１２ａとエジェクト端面２１２ｃ、力点をガイドローラ２１５とし、（作用点と支点の距離）対（力点と支点の距離）を、例えば、１対３にすることで１／３の荷重で内部機構２１を引き出すことが可能で挿入時も１／３の荷重でコンタクトできる。
また、シッピングねじ２４を締め付けることでロックできる。
【００６０】
この結果、
テコの原理を利用して、引き出し荷重の大幅な低減を図り、容易に内部機構２１を引き出せる内部機構引き出し型計器が得られる。
荷重の軽減により引き出しハンドル２３をコンパクトにでき、ペンや記録紙交換の妨げにならない箇所に配置できる内部機構引き出し型計器が得られる。
シッピングロックねじ２４の使用を少なくでき、振動や梱包落下などでコンタクトが外れない構造を実現できる内部機構引き出し型計器が得られる。
また、内部機構をニュートラルまで挿入してシッピングネジを締付けるとその推力でロックレバーのフックがロック穴にかかり、てこの原理で軽荷重で内部構造を外箱に接続可能な位置までコンタクトできる内部機構引き出し型計器が得られる。
【００６１】
支持手段は、エジェクトレバー２１１に設けられたスライド穴２１１ａと、スライド穴２１１ａに挿入されたガイドローラ２１５と、ガイドローラ２１５をボトムシャーシ２５に係止するねじとが設けられたので、簡潔な構成で、確実に、エジェクト・ロック手段が得られる内部機構引き出し型計器が得られる。
【００６２】
弾性手段は、ロックレバー２１２に一端が接続され、他端がボトムシャーシ２５に接続されたコイルスプリング２１３が使用されたので、コイルスプリング２１３は市場性があり容易に入手でき、安価な内部機構引き出し型計器が得られる。このスプリングは内部機構挿入時にロックレバーのフックがケースに干渉するので外側に飛び出さないようにするためのもので、ロックレバーをエジェクト状態に強制しているものである。
【００６３】
係止手段は、中継板取付け金具２９が使用されたので、内部機構２１の構造部品をそのまま利用でき、安価な内部機構引き出し型計器が得られる。
【００６４】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【図面の簡単な説明】
【００６５】
【図１】本発明の一実施例の要部構成説明図である。
【図２】図１の内部機構の背面斜視説明図である。
【図３】図１の内部機構を外箱に収納した図である。
【図４】図１の入力中継基板の組立説明図である。
【図５】図４の要部構成説明図である。
【図６】図５の動作説明図である。
【図７】図１の内部機構と外箱図とのコネクタ接続説明図である。
【図８】多入力点数機種（大型機種）の説明図である。
【図９】本発明の他の実施例の要部構成説明図である。
【図１０】図９の内部機構を引き出した状態図である。
【図１１】図９のボトムシャーシを内部機構から外し外箱に収納した状態図である。
【図１２】図９のシッピングネジを外した状態図である。
【図１３】図９のハンドルを引張った状態図である。
【図１４】従来より一般に使用されている従来例の構成説明図である。
【図１５】図１４の動作説明図である。
【符号の説明】
【００６６】
１        内部機構
１ａ      制御基板
１ｂ      電源ユニット
２        外箱
２ａ      入力端子板
２ｂ      電源入力部
３        入力配線束
４        折り畳み補助板
５        電源配線束
Ａ        隙間
Ｂ        隙間
１１      内部機構
１１ａ    電源コネクタ
１１ｂ    入力コネクタ
１１ｃ    オプションコネクタ
１１ｄ    マザーボード
１２      外箱
１３      入力端子基板
１４      電源入力部
１５      入力端子部
１６      電源配線束
１７      入力配線束
１８      電源中継基板
１８ａ    電源コネクタ
１９      入力中継基板
１９ａ    入力コネクタ
１１０    中継板取付け金具
１１１    オプション端子部
１１２    オプション配線束
１１３    オプション中継基板
１１３ａ  オプションコネクタ
１１４    固定スタッド
１１４ａ  ボス
１１５    位置決めピン
１１５ａ  テーパ
１１６    ネジ
１１７    孔
１１８    倒れ防止のスペーサー
１１９    位置決めガイド
１１９ａ  面取り
２１      内部機構
２２      外箱
２３      ハンドル
２４      シッピングねじ
２５      ボトムシャーシ
２６      入力中継基板
２７      オプション中継基板
２８      ロック金具
２８ａ    ロック穴
２９      中継基盤取付け金具
２９ａ    固定面
２１０    電源中継基板
２１１    エジェクトレバー
２１１ａ  スライド穴
２１１ｂ  ガイド穴
２１２ｃ  エジェクト端面
２１２    ロックレバー
２１２ａ  フック
２１２ｂ  ガイド穴
２１２ｃ  エジェクト端面
２１３    スプリング
２１４    ガイドローラ
２１５    ガイドローラ
１０      位置あわせ手段
２０      フローティング手段
３０      支持手段
４０      弾性手段
５０      係止手段
【図１】
0005245371.tif 000002
【図２】
0005245371.tif 000003
【図３】
0005245371.tif 000004
【図４】
0005245371.tif 000005
【図５】
0005245371.tif 000006
【図６】
0005245371.tif 000007
【図７】
0005245371.tif 000008
【図８】
0005245371.tif 000009
【図９】
0005245371.tif 000010
【図１０】
0005245371.tif 000011
【図１１】
0005245371.tif 000012
【図１２】
0005245371.tif 000013
【図１３】
0005245371.tif 000014
【図１４】
0005245371.tif 000015
【図１５】
0005245371.tif 000016